(57)【要約】【課題】遠赤外線の放出により血液循環を促進させ、使用者の上腹部と下腹部に対して異なる拘束効果と持ち上げ効果がある、遠赤外線放出腹帯を提供すること。【解決手段】本体１０と、本体１０の一側に連結された伸縮ベルト部２０とを備え、本体１０が少なくとも１枚以上の遠赤外線放出ユニットを含有する布片１１を含み、伸縮ベルト部２０が、人体の上腹部に対応する位置に設置された第１伸縮ベルト部２１と、第１伸縮ベルト部２１と平行で、かつ人体の下腹部に対応する位置に設けられた第２伸縮ベルト部２２から構成され、第２伸縮ベルト部２２の幅が第１伸縮ベルト部２１の幅より広くなっている。【選択図】図１
0003181855.tif 000002
【実用新案登録請求の範囲】
【請求項１】
遠赤外線放出腹帯であって、本体と、前記本体の一側に連結された伸縮ベルト部とを備え、
前記本体が少なくとも１枚以上の遠赤外線放出ユニットを含有する布片を含み、
前記伸縮ベルト部が、人体の上腹部に対応する位置に設置された第１伸縮ベルト部と、前記第１伸縮ベルト部と平行で、かつ人体の下腹部に対応する位置に設けられた第２伸縮ベルト部から構成され、前記第２伸縮ベルト部の幅が前記第１伸縮ベルト部の幅より広いことを特徴とする、遠赤外線放出腹帯。
【請求項２】
前記遠赤外線放出ユニットが放出する遠赤外線の波長が６〜１４μｍであることを特徴とする、請求項１に記載の遠赤外線放出腹帯。
【請求項３】
前記遠赤外線放出ユニットが布片により被覆され、前記遠赤外線放出ユニットは、片状、棒状、顆粒状、結晶粒状、粉末状のいずれかの形態であることを特徴とする、請求項１に記載の遠赤外線放出腹帯。
【請求項４】
前記遠赤外線放出ユニットが布片の紡織繊維に付着されたことを特徴とする、請求項１に記載の遠赤外線放出腹帯。
【請求項５】
前記本体の人体背面腰部に対応する位置に、腰部に加わる圧力を支持する複数のサポートリブが設置されたことを特徴とする、請求項１に記載の遠赤外線放出腹帯。
【考案の詳細な説明】
【技術分野】
【０００１】
本考案は、装着すると上腹部及び下腹部にそれぞれ適切な拘束力が提供され、特に産後の女性の使用に適した、遠赤外線放出腹帯に関する。
【背景技術】
【０００２】
腹帯には使用者の腹部を締め付け、腹腔内の臓器を持ち上げ、支える効果があり、さらには子宮収縮回復に用いられることもあり、産後の子宮下垂を改善できるため、一般に産後には産後ニッパー等と呼ばれる腹帯が使用されている。
しかしながら、従来の産後ニッパーは使用時に手間がかかり、装着しにくい問題がある。また一般的な単純な腹帯を産後の子宮下垂のサポートに利用すると、腹帯の拘束力が単純すぎて下腹部に最良の持ち上げ力を提供できないという問題がある。
また、腹部の筋肉収縮のほか、産後は子宮の持ち上げと収縮の回復補助に加え、もう１つの重大な課題が産後の悪露の排出である。悪露の円滑な排出に影響する１つの重要な要因が、産婦自身の体の血液循環が良好であるか否かであり、このためやさしく安全な手段で産婦の血液循環を促進することは、悪露の排出の助けとなる。
【０００３】
かって、遠赤外線に対する認知は、ほとんどが学術や医療分野の研究範囲に属していたが、近年、遠赤外線の応用技術が徐々に成熟し、より生活に身近になり、各種日常生活用品や服飾用品に見受けられるようになった。
遠赤外線とは、スペクトル上３μｍ〜１０００μｍの波長を指し、赤外線波長範囲の中の１つの領域で、不可視光線に属し、生物体は「熱」の形でその存在を感受できる。そのうち６μｍ〜１４μｍの範囲は一般の生物体が最も感受しやすい領域であり、このため一般の研究において通常は生長光線と呼ばれ、血液循環の促進や防寒によく応用されている。
【考案の概要】
【考案が解決しようとする課題】
【０００４】
本考案が解決しようとする課題は、遠赤外線の放出により血液循環を促進させ、使用者の上腹部と下腹部に対して異なる拘束効果及び持ち上げ効果がある、遠赤外線放出腹帯を提供することにある。
【課題を解決するための手段】
【０００５】
本考案の遠赤外線放出腹帯は、本体と、前記本体の一側に連結された伸縮ベルト部とを備え、前記本体が少なくとも１枚以上の遠赤外線放出ユニットを含有する布片を含み、前記伸縮ベルト部が、人体の上腹部に対応する位置に設置された第１伸縮ベルト部と、前記第１伸縮ベルト部と平行で、かつ人体の下腹部に対応する位置に設けられた第２伸縮ベルト部から構成され、前記第２伸縮ベルト部の幅が前記第１伸縮ベルト部の幅より広くなっている。
【０００６】
以下の構成を採用しても良い。
前記遠赤外線放出ユニットが放出する遠赤外線の波長が６〜１４μｍである構成。
前記遠赤外線放出ユニットが布片により被覆され、前記遠赤外線放出ユニットは、片状、棒状、顆粒状、結晶粒状、粉末状のいずれかの形態である構成。
前記遠赤外線放出ユニットが布片の紡織繊維に付着された構成。
前記本体の人体背面腰部に対応する位置に、腰部に加わる圧力を支持する複数のサポートリブが設置された構成。
【考案の効果】
【０００７】
請求項１に係る考案によれば、遠赤外線を人体に作用させることを通して、血液循環を促進し、また、使用者の上腹部と下腹部にそれぞれ異なる拘束力を加えると共に下腹部を持ち上げることができるため、腹腔内の臓器を支持し、特に産後の女性が使用すると、子宮の下垂を防ぎ、子宮の収縮及び悪露の排出を促す。
請求項２に係る考案によれば、装着者が熱を感知しやすい。
請求項３に係る考案によれば、遠赤外線放出ユニットが直接装着者の皮膚と接触して、不快感を与えるのを防ぐ。
請求項４に係る考案によれば、遠赤外線放出ユニットが独立した固まり状で存在しないため、使用者がより快適に装着できる。
請求項５に係る考案によれば、サポートリブが背面腰部をサポートし、圧力を分散すると共に、伸縮ベルト部の拘束効果を強化する。
【図面の簡単な説明】
【０００８】
【図１】本考案の実施例を示す遠赤外線放出腹帯の外面側から見た斜視図である。
【図２】本考案の実施例を示す遠赤外線放出腹帯の内面側から見た斜視図である。
【図３】本考案の実施例を示す遠赤外線放出腹帯の装着状態における斜視図である。
【考案を実施するための形態】
【０００９】
以下、本考案の実施例を図面に基づいて詳細に説明する。
図１は、本考案の実施例に係る遠赤外線放出腹帯の外面側から見た斜視図であり、図２は、遠赤外線放出腹帯の内面側から見た斜視図である。
これらの図に示すように、本考案の遠赤外線放出腹帯は、本体１０と、伸縮ベルト部２０を含む。
【００１０】
本体１０は、少なくとも１枚以上の遠赤外線放出ユニットを含有する布片１１を含む。遠赤外線放出ユニットが放出する遠赤外線は波長が６〜１４μｍであり、装着者が感受する熱を強化する。
また、本体１０には、装着した時に人体の背面腰部に対応した位置に、腰部に加わる圧力を支持する複数のサポートリブ１２が上下方向に沿って設けられ、使用者がより快適に装着できるようにする。
伸縮ベルト部２０は本体１０の一側に連結されており、人体の上腹部に対応する位置に設けられた第１伸縮ベルト部２１と、第１伸縮ベルト部２１と平行で、人体の下腹部に対応する位置に設けられた第２伸縮ベルト部２２とから構成される。第２伸縮ベルト部２２の幅は第１伸縮ベルト部２１の幅より広く形成されている。
【００１１】
さらに、本体１０の外面の適切な位置に面ファスナーのフック側部材３０が設けられ、第１伸縮ベルト部２１の先端内面に面ファスナーの第１ループ側部材３１が、第２伸縮ベルト部２２の先端内面に面ファスナーの第２ループ側部材３２がそれぞれ設置される。
第１ループ側部材３１及び第２ループ側部材３２とフック側部材３０とは、迅速に且つ繰り返し係合することができる。
【００１２】
図３に示すように、この遠赤外線放出腹帯を装着すると、第１伸縮ベルト部２１が上腹部に対して適切な拘束力を提供し、第２伸縮ベルト部２２がより広い幅で人体の下腹部に対して持ち上げ作用を発揮し、装着者の下腹部に上方向に持ち上げるサポート力を提供し、下腹部の筋肉の収縮を助け、子宮下垂の問題を改善することができる。
同時に、遠赤外線放出ユニットにより装着者に対して遠赤外線の放出を行う。
【００１３】
なお、遠赤外線放出ユニットは、片状、棒状、顆粒状、結晶粒状、粉末状のいずれかの形態とされ、布片１１により被覆されている。これにより、遠赤外線放出ユニットが直接装着者の皮膚と接触し、不快感を生じることがないようにする。
あるいは、遠赤外線放出ユニットを布片１１の紡織繊維に付着させ、使用者がより快適に装着できるようにする。
【００１４】
以上は、本考案の最良の実施例を説明するものであり、実用新案登録請求の範囲を限定しない。実用新案登録請求の範囲を逸脱することなく構造を変更し、修飾を行なったものは、いずれも本考案の権利範囲に属する。
【符号の説明】
【００１５】
１０      本体
１１      布片
１２      サポートリブ
２０      伸縮ベルト部
２１      第１伸縮ベルト部
２２      第２伸縮ベルト部
３０      フック側部材
３１      第１ループ側部材
３２      第２ループ側部材
【図１】
0003181855.tif 000003
【図２】
0003181855.tif 000004
【図３】
0003181855.tif 000005